(57)【要約】【解決課題】制御基板に対するＳＡＴＡコネクタの配置を最適化して、ノイズや不要輻射などの課題を解消してＳＡＴＡインターフェースの性能を発揮し得るディスク装置を提供する。【解決手段】ドライバＩＣと、ディスクへの記録又は再生の処理に関する主処理を実行するＤＳＰとがメインプリント基板に搭載されている。電源端子と信号端子とを備えるＳＡＴＡコネクタがメインプリント基板に固定されている。ＳＡＴＡコネクタはＤＳＰに対向するように基板に対して配置されている。電源端子とドライバＩＣとを接続するパターンと、信号端子とＤＳＰとを接続するパターンが基板に形成されている。ＳＡＴＡコネクタ及びＤＳＰが基板の中心線よりドライバＩＣ側になり、そして、電源端子がドライバＩＣ側になり、さらに信号端子がDSP側になるように基板に対して配置されている。【選択図】図７
2008210477.tif 000002
【特許請求の範囲】
【請求項１】
ディスクに記録又は再生の処理を行う処理機構を備えるディスク装置において、
前記処理機構は、
メカニズムモータを駆動するドライバＩＣと、前記ディスクへの記録又は再生の処理に関する主処理を実行する主制御ＩＣと、が搭載された制御基板と、
電源部と信号部とを備え、前記ドライバＩＣ及び前記主制御ＩＣに接続されるＳＡＴＡコネクタであって、前記主制御ＩＣに対向するように前記制御基板に対して配置されたＳＡＴＡコネクタと、
を備えてなり、
前記電源部と前記ドライバＩＣとを接続するパターンと、前記信号部と前記主制御ＩＣとを接続するパターンが前記制御基板に形成され、
前記ＳＡＴＡコネクタ及び前記主制御ＩＣが、前記制御基板の中心線より前記ドライバＩＣ側になり、そして、前記電源部が前記ドライバＩＣ側になり、さらに前記信号部が前記主制御ＩＣ側になるように前記制御基板に対して配置されてなる、
ディスク装置。
【請求項２】
前記制御基板には、電圧レギュレータＩＣと、フラッシュメモリと、が搭載され、前記主制御ＩＣは前記制御基板のほぼ中心に配置され、前記フラッシュメモリ及び前記電圧レギュレータは前記主制御ＩＣを介して互いに異なる側になるように、そして前記ドライバＩＣは前記フラッシュメモリとは同じ側で前記電圧レギュレータに対して対角位置になるように、前記制御基板に配置されてなる、請求項１記載のディスク装置。
【請求項３】
前記電源部に対して直接又は前記ドライバＩＣを介して接続される複数のコネクタを、前記制御基板の当該ドライバＩＣと同じ側で、かつ当該ドライバＩＣの近傍に前記制御基板の両面を利用して集中して配置した、請求項１記載のディスク装置。
【請求項４】
光ディクスのラベル面に形成されたパターンを検出するフォトセンサ用のコネクタが、前記ドライバＩＣの近傍の前記制御基板上に配置されてなる、請求項３記載のディスク装置。
【請求項５】
前記処理機構は、
光ディスクを回転させる、前記メカニズムモータとしてのスピンドルモータと、前記光ディスクに対して記録・再生の処理を行うための光ピックアップと、前記光ピックアップを前記光ディスクの径方向に移動させる送りモータと、をシャーシに固定してなる送り機構と、
前記光ディスクを搭載するトレイを前記ディスク装置内へ搬送するローディング機構と、
を有し、
前記送り機構は前記光ディスク装置内へ搬送された前記光ディスクを前記スピンドルモータに固定するように、前記トレイに対して昇動するものであり、
前記スピンドルモータ用のコネクタと前記フォトセンサ用コネクタを前記制御基板の底面に配置し、前記ローディング機構用のコネクタを前記制御基板の平面に配置してなる、請求項4記載のディスク装置。
【請求項６】
前記信号部から前記主制御ＩＣへのパターンが前記制御基板の中心線に沿って直線になるように、前記ＳＡＴＡコネクタを前記制御基板に対して配置してなる、請求項１記載のディスク装置。
【発明の詳細な説明】
【技術分野】
【０００１】
本発明は、ディスクに記録又は再生の処理を行う処理機構を備えたディスク装置に関するものである。
【背景技術】
【０００２】
ディスク装置をパソコンに接続するためのインターフェースとして、現状ではパラレルＡＴＡ（ＰＡＴＡ）が主流である。ＰＡＴＡインターフェースコネクタは電源部と信号部とに分かれて構成され、それぞれがメインプリント基板の光ディスク装置の背面側端部に搭載されている。
【０００３】
複数の制御用ＩＣは制御基板に搭載されて、ディスク装置に収容されている。ディスク装置の全体制御を行なうＤＳＰは、メインプリント基板の中心に配置され、電圧レギュレータＩＣ、フラッシュメモリＩＣと、ピックアップ信号を処理するアナログフロントエンドＩＣ（ＡＦＥ）、及び、ディスクを回転させるなどのメカニズム用のドライバＩＣとが、ＤＳＰとの間に形成される配線パターンの効率を勘案して、ＤＳＰの周りの領域に効率良く配置されなければならない。
【０００４】
プリント基板に複数のＩＣを効率的に配置した事例が特開２００６−９９８５６号公報の図５に開示されている。モータドライバはＨＤＣ／ＭＰＣを介してシリアルＡＴＡインターフェースコネクタの電源部に対し対角に位置するので、電源部からドライバＩＣへの電源パターンがメインプリント基板の端部領域を利用してＸＹ方向に形成されている。
【０００５】
また、特開２００１−１０１８２９公報には、インターフェースのコネクタを持つフロッピーディスク装置において、相互にノイズ源になったり、信号がクロスするおそれのあるコネクタや入出力端子が、制御回路基板上で可能な限り間隔を大きくして配置することで、小型化、薄型を実現することが記載されている。
【０００６】
さらに、特開昭６０−２６３３７０号公報には、フロッピーディスク装置において、ノイズの影響を防止するため、記録再生回路とモータ制御用回路とを可能な限り離して配置することが開示されている。
【特許文献１】特開２００１−１０１８２９公報
【特許文献２】特開昭６０−２６３３７０号公報
【特許文献３】特開２００６−９９８５６公報
【発明の開示】
【発明が解決しようとする課題】
【０００７】
最近では、ＣＤやＤＶＤに代表される光ディスク装置をパソコンに接続するためのインターフェースとしてＰＡＴＡに代わり、高速なシリアルデータ転送を実現するシリアルＡＴＡ（ＳＡＴＡ）インターフェースが採用されつつある。
【０００８】
ＳＡＴＡインターフェースを利用したデータ転送はＰＡＴＡの場合に比較して、制御用メインプリント基板のパターンインピーダンスや、配線から発生するノイズ等影響を受け易いという課題があった。例えば、ＳＡＴＡコネクタの電源部とドライバＩＣとの間の配線パターンが長くなると、発生するノイズがＳＡＴＡインターフェースの性能に影響を及ぼすことになる。ドライバＩＣによって駆動されるモータ等に対するコネクタとドライバＩＣとの間の配線パターンが長い場合にも同様な課題がある。
【０００９】
そこで、ＳＡＴＡコネクタの電源部をドライバＩＣに極力近づけることが考えられるが、一方、ＳＡＴＡコネクタの信号部からＤＳＰまでの距離が増えると、パターンインピーダンスの課題が発生する。本発明は係る課題を解決するために、制御基板に対するＳＡＴＡコネクタの配置を最適化して、ノイズや不要輻射などの課題を解消してＳＡＴＡインターフェースの性能を発揮し得るディスク装置を提供することを目的とするものである。
【課題を解決するための手段】
【００１０】
本発明はこの目的を達成するために、ディスクに記録又は再生の処理を行う処理機構を備えるディスク装置において、前記処理機構は、メカニズムモータを駆動するドライバＩＣと、前記ディスクへの記録又は再生の処理に関する主処理を実行する主制御ＩＣと、が搭載された制御基板と、電源部と信号部とを備え、前記ドライバＩＣ及び前記主制御ＩＣに接続されるＳＡＴＡコネクタであって、前記主制御ＩＣに対向するように前記制御基板に対して配置されたＳＡＴＡコネクタと、を備えてなり、前記電源部から前記ドライバＩＣとを接続するパターンと、前記信号部と前記主制御ＩＣとを接続するパターンが前記制御基板に形成され、前記ＳＡＴＡコネクタ及び前記主制御ＩＣが、前記制御基板の中心線より前記ドライバＩＣ側になり、そして、前記電源部が前記ドライバＩＣ側になり、さらに前記信号部が前記主制御ＩＣ側になるように前記制御基板に対して配置されてなる、ことを特徴とするものである。
【００１１】
さらに、この出願に係る発明は、前記電源部に対して直接又は前記ドライバＩＣを介して接続される複数のコネクタを、前記制御基板の当該ドライバＩＣと同じ側で、かつ当該ドライバＩＣの近傍に前記制御基板の両面を利用して集中して配置し、特に、当該コネクタとして、ライトスクライブのために、光ディクスのラベル面に形成された特殊パターンを検出するフォトセンサ用のコネクタを含む、ディスク装置であることを特徴とするものである。
【００１２】
さらにまた、この出願に係る発明は、光ディスクを回転させるスピンドルモータと、前記光ディスクに対して記録・再生の処理を行うための光ピックアップと、前記光ピックアップを前記光ディスクの径方向に移動させる送りモータと、をシャーシに固定してなる送り機構と、前記光ディスクを搭載するトレイを前記ディスク装置内へ搬送するローディング機構と、を有し、前記送り機構は前記光ディスク装置内へ搬送された前記光ディスクを前記スピンドルモータに固定するように、前記トレイに対して昇動するものであり、前記スピンドルモータ用のコネクタと前記フォトセンサ用コネクタを前記制御基板の底面に配置し、前記ローディング機構用のコネクタを前記制御基板の平面(上面)に配置してなる、ディスク装置であることを特徴とするものである。
【発明の効果】
【００１３】
以上説明したように本発明によれば、制御基板に対するＳＡＴＡコネクタの配置を最適化して、ノイズや不要輻射などの課題を解消してＳＡＴＡインターフェースの性能を発揮し得るディスク装置を提供することができるという効果を達成する。
【発明を実施するための最良の形態】
【００１４】
次に、本発明に係るディスク装置の実施形態について説明する、図１及び図２は、ディスク装置を前後から俯瞰する視点から描いたディスク装置全体の斜視図である。ディスク装置１０は、箱状のケース内に光ディスクに記録/再生の為の処理を行う処理機構を備えている。処理機構の詳細は後述の図３において説明されている。天板１２Ｃと側板１２Ａとが一体成型によって形成された金属製の上部ケース１２Ｄに底板１２Ｂが嵌め込まれて箱状のケース１２が形成され、このケース内に処理機構が収容されている。
【００１５】
さらに、ディスク装置１０は、ケース１２の前面の開放端を塞ぐフロントパネル１４と、光ディスクをディスク装置に挿入し、あるいはディスクをディスク装置から排出するためのトレイ１６と、を備え、ている。ディスク装置の背面側には、外部Ｉ／Ｆコネクタとして機能するＳＡＴＡコネクタ５０が露出しており、５０Ａはその電源端子であり、５０Ｂはその信号端子である。ディスク装置をパソコン本体に挿入するとパソコン側の電源端子及び信号端子にＳＡＴＡコネクタが接続される。
【００１６】
図３にはディスク装置を構成する、主要構成部の組み立て分解斜視図が示されている。各主要構成部は図３に示す位置関係でディスク装置に組みつけられている。符号１１は送り機構と称されるものであり、シャシ１００に光ピックアップユニット２４とディスクを回転させるスピンドルモータ２２Ａが固定されている。
【００１７】
シャシ１００は後述のローディング機構１３のケース１０２に支持されている。メインプリント基板１8及びサブプリント基板１９も同様にケース１０２に固定されている。本発明の処理機構は、送り機構１1、ローディング機構１３、メインプリント基板１８及びサブプリント基板１９を含むものとしての総称である。
【００１８】
フロントパネル１４の左右の端部には、送り機構１１側に向かって突出する小片３２が形成されている。この小片３２の先端には側板１２Ａのフロントパネル側に形成された開口部３５に側板１２Ａの内側から係合する爪が形成されている。
【００１９】
トレイ１６は、フロントパネル１４の開口３４を介して図３の矢印Ａ方向に沿ってディスク装置に対して進退動作を行う。符号１３はトレイを進退させるローディング機構である。ローディング機構１３は、ローディングモータ２０Ａの回転軸の回転がベルト２０Ｂによって伝達されるプーリ２０Ｃと、プーリ２０Ｃによって回転するギヤ２０Ｄからなる。ローディングモータ２０Ａがトレイを進退動させる駆動源となる。さらに、ローデング機構１３は、送り機構１１のフロントパネル１４側を基端部に対して昇降させ、ターンテーブル２２への光ディスクの固定及びその解除を行う機構をも備えている。ローディングモータ２０Ａ及び送り機構１１の昇降機構に対する駆動電圧は後述のサブプリント基板１９を介してメインプリント基板１８から供給される。
【００２０】
トレイ１６は、ディスクが載置されるプレート１６Ｂと、フロンパネル１４の開口３４を覆うフロントベゼルパネル１６Ａとから構成される。符号１７はプレート１６Ｂに形成された開口である。符号２２は送り機構１１のターンテーブルであり、光ディスクを回転可能に支持する。ターンテーブル２２と天板１２Ｃの裏面に設けられたディスククランプとの間にディスクがチャッキングされる。
【００２１】
ディスクがプレート１６Ｂに載置されて、その後トレイ１６が装置内に挿入されると、送り機構１１がターンテーブル２２を開口１７を超えて上方に移動させ、トレイに載置されたディスクを持ち上げ、天板１２Ｃの裏面にあるクランプによってディスクをターンテーブル２２に回転自在に固定するように構成されている。ターンテーブル２２は、送り機構１１のスピンドルモータ２２Ａによって回転する。符号２４は光学ユニットとしての光ピックアップユニットであり、送りモータ２５の駆動により図３の矢印Ｂ方向に移動する。送り機構１１はこのようにスピンドルモータ２２Ａと、光ピックアップユニット２４と、光ピックアップユニットを光ディスクの径方向に沿って送る機構がシャシ１００に支持されるように構成されている。光ピックアップユニットを送る機能に着目して、送り機構と称している。光ピックアップユニットは主軸１０４と副軸１０６によって支持され、送りモータ２５の軸に設けられたリードスクリューにより光ピックアップユニット２４を両軸１０４，１０６に沿って進退動させる。
【００２２】
スピンドルモータ２２Ａの近傍には、ライトスクライブ機能を実現するためのフォトセンサ２７が取り付けられている。ライトスクライブ機能は、ラベル面に特殊加工が施されている光ディスクの当該ラベル面に光ピックアップからレーザ光を照射することで発色させ、ラベル面に模様を作る機能であり、フォトセンサ２７は光ディスクのラベル面に形成された縦縞であるパターンを検出するためのもので、光ディスクのラベル面での回転方向位置を検出するためのものである。
【００２３】
ターンテーブル２２の回転と、光ピックアップ２４のディスクの径方向での移動が制御されることによって、光ピックアップ２４から出力される光ビームをディスクの記録面（図３からみて下面）の全域でスキャニングさせることができ、情報の記録、再生が可能になる。
【００２４】
メインプリント基板１８には、送り機構１１及びローディング機構１３の駆動部を制御し、光ディスクへの情報の記録、情報の再生、ライトスクライブ機能を達成するための各種制御ＩＣが搭載されている。メインプリント基板１８にはサブプリント基板１９が接続されている。サブプリント基板はメインプリント基板に対してフロントパネル１４が存在する、光ディスク装置の前端側に位置している。サブプリント基板１９はローディング機構１３を制御するためのもので、例えば、ローディングモータ２０Ａの駆動を制御している。サブプリント基板１９はトレイ１６の開閉状態を知るために、トレイの開閉位置を検出するためのメカ検出スイッチ１９Ｂ、光ディスクのＥｊｅｃｔスイッチ１０８、ディスク装置の動作状態を報知するＬＥＤ１１０を備えている。
【００２５】
メインプリント基板１８の平面１８Ａの前端側における図３の右寄りにはサブプリント基板用のコネクタ５４が設けられ、サブプリント基板１９のコネクタ１９Ａとコネクタ５４とには制御信号の送受のためのフレキシブル・フラットケーブル５２が接続されている。
【００２６】
次に、メインプリント基板１８への各制御ＩＣの搭載例について説明する。１８Ａがメインプリント基板の平面に相当し、１８Ｂがメインプリント基板の底面に相当する。図３に示される如く、平面１８Ａの後端にはＳＡＴＡコネクタ５０が固定されている。ＳＡＴＡコネクタ５０は、外部Ｉ／Ｆコネクタとして機能し、単一のコネクタに電源端子５０Ａと信号端子５０Ｂを有し、それぞれにディスク装置が挿入されるパソコンからのコネクタが接続されるようになっている。
【００２７】
メインプリント基板１８の前端側は、その幅方向中間部に矩形の切欠部１８Ｃが形成されている。この切欠部１８Ｃの近傍で底面１８Ｂ側にはピックアップコネクタ２４Ａ（図４及び図５参照）が設けられ、光ピックアップユニット２４との間を、光ピックアップユニットが既述のように移動しても、その移動を吸収できる自由度を持たせたフレキシブル・フラットケーブル（ＦＰＣケーブル又はＦＦＣケーブル）５６で結ばれている。
【００２８】
フレキシブル・フラットケーブル５６は屈曲自在であり、光ピップアップユニット２４が光ディスクの径方向に移動するとメインプリント基板１８と光ピックアップユニット２４Ａとの間での相対距離の変化に追従して撓む。
【００２９】
図４及び図５は、ケース１２の底板１２Ｂを省略してディスク装置の底面１８Ｂを斜め下方の視点から見た斜視図である。図４にあるように、光ディスク装置の後端にはメインプリント基板の平面１８Ａに固定されているＳＡＴＡコネクタ５０が存在する。
【００３０】
図６は底板１８Ｂを省略したディスク装置１０の底面図であり、メインプリント基板１８の底面が描かれている。図７はメインプリント基板１８の底面１８Ｂであり、かつ素子間の接続パターンの概要を付加して描かれている。
【００３１】
メインプリント基板１８の底面１８Ｂには、ＤＳＰ６０を中心として、ドライバＩＣ６２、フラッシュメモリ６４、ＡＦＥ６６、レギュレータ部６８、送りモータコネクタ７０、スピンドルコネクタ７２、フォトセンサコネクタ７４が搭載されている。既述のとおり、メインプリント基板１８の平面１８ＡにはＳＡＴＡコネクタ５０、及びサブプリント基板１９とのコネクタ５４が搭載されている。
【００３２】
ＤＳＰ（デジタル・シグナル・プロセッサ）６０は、後述の他の制御ＩＣに接続してこれら制御ＩＣを制御して、ディスクに対する記録及び再生に対する主処理を実行する基本ＩＣである。ＤＳＰは、フラッシュメモリ６４の記憶領域を利用して、送り機構１１やローディング機構１３に対する制御、ディスクに対する記録及び再生に伴う信号処理等の主処理を実行する。ＤＳＰは、他のＩＣに比較して大型であること、そして、他のＩＣの制御を行うために、メインプリント基板の中心に置かれている。
【００３３】
ドライバＩＣ６２は、ローディング機構１３の駆動系であるローディングモータ２０Ａ、送り機構１１の駆動系であるスピンドルモータ２２Ａ、そして光ピックアップユニットの送りモータ２５等のメカニズムモータに駆動電圧を供給してこれらの駆動を制御するものである。
【００３４】
フラッシュメモリ６４は、ディスクに再生する情報、ディスクから読み取った情報を一時記憶するものである。ＡＦＥ６６は、ディスクから検出された信号を整形してデジタル信号に変換する処理を行う。レギュレータ部６８は入力電圧を調整して各ＩＣに最適な電圧を調整して供給するものである。送りモータコネクタ７０は、フレキシブル・フラットケーブル７６（図３参照）を介して光ピックアップの送りモータ２５と接続される。
【００３５】
図６に示すように、メインプリント基板の底面１８Ｂにあるスピンドルモータコネクタ７２は、フレキシブル・フラットケーブル７８を介してスピンドルモータ２２Ａに接続される。同様に、フォトセンサコネクタ７４も、フレキシブル・フラットケーブル８０を介してフォトセンサ２７に接続される。フレキシブル・フラットケーブル７８、そしてフレキシブル・フラットケーブル８０は途中で直角に変形されて、メインプリント基板１８の幅方向を走り中央に向かって走り、フレキシブル・フラットケーブル７８はスピンドルモータ２２Ａに接続され、フレキシブル・フラットケーブル８０はスピンドルモータ２２Ａの近傍にあるフォトセンサ２７に接続されている。
【００３６】
既述の送り機構１１及びローディング機構１３に搭載された電気部品はすべてメインプリント基板によって制御されるために、メインプリント基板にはこれら電気部品を制御するための制御ＩＣとこれら電気部品とのコネクタが搭載される。そこで、図７にしたがって、各制御ＩＣ等のメインプリント基板における搭載例について説明する。既述のようにＤＳＰはメインプリント基板の底面のほぼ中心位置に配置されている。次に、電圧レギュレータ６８をＤＳＰに対して片方の側に搭載する。図７の例では、電圧レギュレータ６８はメインプリント基板の中心線ＣＬに対して右側に搭載されている。
【００３７】
フラッシュメモリ６４はＤＳＰに接続される端子数が多く、フラッシュメモリとＤＳＰ６０との間の配線パターンも密になるために、フラッシュメモリ６４は、ＤＳＰを介して電圧レギュレータ６８が置かれている側とは異なる側に置かれる。そして、ＡＦＥ６６についてもＤＳＰとの間で形成される配線パターンが密になるために、ＡＦＥはフラッシュメモリ６４とＤＳＰを介して反対側、すなわち、レギュレータ６８と同じ側に置かれる。但し、レギュレータ６８を避けるためレギュレータからは基板の先端寄りに配置されている。次いで、ドライバＩＣ６２をメインプリント基板１８Ｂのフラッシュメモリ64がある側で、フラッシュメモリ６４を避けてとメインプリント基板の先端側に配置する。光ピックアップユニットのコネクタ２４は、端子数が多いためにメインプリント基板１８Ｂの先端側で中心線ＣＬをほぼ対象にして、メインプリント基板の幅方向に配置されている。中心線ＣＬはメインプリント基板の幅方向の中心線である。
【００３８】
さらに、送りモータ用コネクタ７０が、フラッシュメモリ６４とメインプリント基板１８Ｂの左側端部との間に設けられている。ＳＡＴＡコネクタ５０は図７に示す位置をもってメインプリント基板の平面１８Ａに搭載される。ＳＡＴＡコネクタ５０は、メインプリント基板１８Ａの後端部で中心線ＣＬからドライバＩＣ６２側にシフトして設けられている。しかも、ＳＡＴＡコネクタ５０の電源端子５０ＡがドライバＩＣ６４側に位置し、信号端子５０Ｂがメインプリント基板の幅方向で重なるようにＤＳＰ６０と向き合う位置に置かれている。
【００３９】
ＳＡＴＡコネクタがこのような位置でメインプリント基板上に置かれていることにより、電源端子５０ＡとドライバＩＣ６２との間に形成される電源パターン１２０のパターン長をより短いものにすることができる。ドライバＩＣは特に駆動系に対する駆動電圧を供給するために、ドライバＩＣ６２と電源端子５０Ａとの間のパターン長が大きいとノイズが発生するおそれがある。
【００４０】
一方、ＳＡＴＡコネクタがドライバＩＣ側に置かれることにより、ＳＡＴＡコネクタの電源端子５０Ａから電圧レギュレータ６８に形成されるパターン１２２のパターン長がその分大きくなるおそれがあるが、電圧レギュレータ６８から供給される電圧は制御ＩＣに対するものであるので、ノイズの発生の問題はドライバＩＣに比較して小さいものである。したがって、図７に示すように、ＳＡＴＡコネクタ５０をドライバＩＣ６２側になるようにメインプリント基板１８Ａに配置している。
【００４１】
ＳＡＴＡコネクタの信号端子５０ＢからＤＳＰ６０に形成されるパターン長は、ノイズを低減する関係から極力短い方が良い。そこで、ＤＳＰ６０をプリント基板の中心線ＣＬよりややドライバＩＣ側６２に変位させることにより、信号端子５０ＢからＤＳＰ６０へのパターン８２を最短に形成することができた。すなわち、パターン８２を中心線ＣＬに沿って直線として形成できる。ＳＡＴＡ規格によれば、ＳＡＴＡコネクタのＳＡＴＡ信号端子からＤＳＰの端子間のパターンインピーダンスを１００Ω±１５％に管理しなければならない。このようにＳＡＴＡ信号端子からＤＳＰの端子までのパターン長を最短で形成できることによりＳＡＴＡ規格を満足することができる。
【００４２】
さらに、ドライバＩＣ６２の近傍で、メインプリント基板１８Ｂの先端側には、スピンドルモータコネクタ７２と、フォトセンサコネクタ７４とをドライバＩＣ６２に接近させて、ドライバＩＣ６２に向き合うように形成した。フォトセンサコネクタコネクタ７４には電源端子５０Ａから電源パターン１２４が形成され、スピンドルモータコネクタ７２にはドライバＩＣ６２から電源パターン１２６が形成されて、接続されている。
【００４３】
スピンドルモータコネクタ７２には、フレキシブル・フラットケーブル７８（図６参照）の一端が接続されている。フレキシブル・フラットケーブル７８の一端はスピンドルモータ２２Ａに接続されている。フォトセンサコネクタ７４には、フレキシブル・フラットケーブル８０（図６参照）の一端が着脱可能に接続されている。フレキシブル・フラットケーブル８０は、フォトセンサ２７に接続されている。
【００４４】
ドライバＩＣ６２の近傍にスピンドルモータコネクタ７２とフォトセンサコネクタ７４とを配置することにより、ドライバＩＣ62からこれらコネクタに至るパターンを短く形成してノイズの発生を抑制することができる。
【００４５】
さらに、図３をも参照することにより、メインプリント基板１８の平面１８Ａにはサブプリント基板用コネクタ５４が搭載されている。ドライバＩＣ６２からサブプリント基板用コネクタ５４へはメインプリント基板１８の底面１８Ｂを利用して電圧供給パターンが形成されている。サブプリント基板用コネクタ５４は、メインプリント基板を挟んでスピンドルモータコネクタ７２とフォトセンサコネクタ７４と向き合う位置にあり、さらに図７から分かるように、スピンドルモータコネクタ７２とフォトセンサコネクタ７４とのほぼ中間位置に相当する部分に位置している。このように、ドライバＩＣ６２により近づけて複数のコネクタを集中して基板に配置することが好ましく、これを可能にするために基板の両面を効率的に利用すればよい。
【００４６】
スピンドルモータコネクタ７２とフォトセンサコネクタ７４をメインプリント基板の底面１８Ｂに設け、光ディスクのローディング用のコネクタ５４をメインプリント基板の平面１８Ａに設けたのは次のような理由である。ローディング機構１３が光ディスクのローディングに伴って既述のとおりディスク装置の高さ方向に対して送り機構１１が昇降する挙動を行う。図５を参照すると分かるように、送り機構１１の動きに伴って、スピンドルモータコネクタ７２に接続されたフラットケーブ７８と、フォトセンサコネクタ７４に接続されたフラットケーブル８０も昇降挙動する。この際、サブプリント基板１９とメインプリント基板１８とを接続するフラットケーブル５２（図３も参照されたい。）はフラットケーブ７８とフラットケーブル８０よりも上方に位置するために、フラットケーブ７８とフラットケーブル８０との長さを送り機構が光ディスクをスピンドルモータ２２Ａにチャキングした状態に設定しておけば、フラットケーブ７８とフラットケーブル８０がフラットケーブル５２に不用意に接触することを防止してフラットケールやコネクタの意図しない劣化を防止することができる。
【００４７】
なお、既述の実施形態で説明した、メインプリント基板に対する各制御ＩＣ及びコネクタの配置はいずれも一例であって、適宜変更することができる。
【図面の簡単な説明】
【００４８】
【図１】本発明のディスク装置を前方より俯瞰する視点から描いたディスク装置全体の斜視図である。
【図２】ディスク装置を後方より俯瞰する視点から描いたディスク装置全体の斜視図である。
【図３】ディスク装置を構成する、主要構成部の組み立て分解斜視図である。
【図４】ケースの底板を省略してディスク装置の底面を前方斜め下方の視点から見た斜視図である。
【図５】ケースの底板を省略してディスク装置の底面を後方斜め下方の視点から見た斜視図である。
【図６】ケースの底板を省略したディスク装置の底面図である。
【図７】素子間の接続パターンの概要を付加して描かれたメインプリント基板の底面図である。
【符号の説明】
【００４９】
１０    ディスク装置、１１    送り機構、１３    ローディング機構、１６    トレイ、１８    メインプリント基板、１８Ａ    メインプリント基板の平面、１８Ｂ    メインプリント基板の底面、１９    サブプリント基板、２０Ａ    ローディングモータ、２２Ａ    スピンドルモータ、２４    光ピックアップユニット、２４Ａ    光ピックアップコネクタ、２５    送りモータ、２７    フォトセンサ、５０    ＳＡＴＡコネクタ、５０Ａ    電源端子、５０Ｂ    信号端子、５２    フレキシブル・フラットケーブル、５４    ローディングモータコネクタ、５６    フレキシブル・フラットケーブル、６０    ＤＳＰ、６２    ドライバＩＣ、６４    フラッシュメモリ、６６    ＡＦＥ、６８    電圧レギュレータ、７０    送りモータコネクタ、７２    スピンドルモータコネクタ、７４    フォトセンサコネクタ、７６,７８    フレキシブル・フラットケーブル、８０    フレキシブル・フラットケーブル。
【図１】
2008210477.tif 000003
【図２】
2008210477.tif 000004
【図３】
2008210477.tif 000005
【図４】
2008210477.tif 000006
【図５】
2008210477.tif 000007
【図６】
2008210477.tif 000008
【図７】
2008210477.tif 000009